(57)【要約】【課題】立体感に溢れた外観を呈するとともに、文字板の取り付け作業や取り外し作業が容易に行える時計を提供すること。【解決手段】本発明の時計１０は、時計ケース２と、時計ケース２の内部に収納されるムーブメント６と、ムーブメント６の指針軸７に固定される指針８と、ムーブメント６および指針８の間に設けられる文字板３とを備え、文字板３は、平面視した際に複数個のマイクロレンズが規則的に配置されたマイクロレンズ層と、マイクロレンズ層よりもムーブメント６側に設けられ、マイクロレンズと同種の配置で、かつ、マイクロレンズとはピッチが異なる繰り返し模様が設けられた装飾層とを備えるものであり、文字板３は、指針軸７の直径よりも大きな幅寸法の切欠溝３３を有し、指針軸７は、切欠溝３３に挿通されている。【選択図】図１
2012159293.tif 000002
【特許請求の範囲】
【請求項１】
時計ケースと、当該時計ケースの内部に収納されるムーブメントと、当該ムーブメントの指針軸に固定される指針と、前記ムーブメントおよび前記指針の間に設けられる文字板とを備え、
前記文字板は、平面視した際に複数個のマイクロレンズが規則的に配置されたマイクロレンズ層と、前記マイクロレンズ層よりもムーブメント側に設けられ、前記マイクロレンズと同種の配置で、かつ、前記マイクロレンズとはピッチが異なる繰り返し模様が設けられた装飾層とを備えるものであり、
前記装飾層および前記マイクロレンズ層のうち少なくとも一つは、前記指針軸の直径よりも大きな幅寸法の切欠溝を有する有溝部材であり、
前記指針軸は、前記切欠溝に挿通されていることを特徴とする時計。
【請求項２】
マイクロレンズの配置パターンが互いに異なる複数種のマイクロレンズ層、および／または、前記繰り返し模様が互いに異なる複数種の装飾層を、交換用の前記有溝部材として備えている請求項１に記載の時計。
【請求項３】
前記切欠溝を塞ぐ飾り板が設けられている請求項１または２に記載の時計。
【請求項４】
前記ムーブメントの上面に前記有溝部材を位置決めする有溝部材受け座が設けられ、
前記飾り板は、前記有溝部材受け座と一体形成されている請求項３に記載の時計。
【請求項５】
前記時計ケースの側面には、前記有溝部材の幅寸法以上の大きさの挿入孔が設けられ、
前記有溝部材は、前記挿入孔に挿入されて取り付けられている請求項１ないし４のいずれかに記載の時計。
【請求項６】
前記有溝部材の端部には前記挿入孔を塞ぐ引出蓋が取り付けられ、
前記引出蓋は前記時計ケースに着脱自在に固定されている請求項５に記載の時計。
【請求項７】
前記有溝部材は、前記引出蓋に着脱可能に取り付けられている請求項６に記載の時計。
【請求項８】
前記マイクロレンズ層を平面視した際の隣接する前記マイクロレンズの中心を直線で結んだ場合に、当該直線により複数個の三角形が規則的に配置されたものとなる請求項１ないし７のいずれかに記載の時計。
【請求項９】
前記三角形は、正三角形である請求項８に記載の時計。
【請求項１０】
前記マイクロレンズ層を平面視した際の隣接する前記マイクロレンズの中心を直線で結んだ場合に、当該直線により複数個の四角形が規則的に配置されたものとなる請求項１ないし９のいずれかに記載の時計。
【請求項１１】
前記四角形は、正方形である請求項１０に記載の時計。
【請求項１２】
前記マイクロレンズのレンズ面から前記装飾層の表面までの距離が１００μｍ以上１０００μｍ以下である請求項１ないし１１のいずれかに記載の時計。
【請求項１３】
前記マイクロレンズの焦点距離が１００μｍ以上１０００μｍ以下である請求項１ないし１２のいずれかに記載の時計。
【請求項１４】
前記マイクロレンズのピッチをＰＭＬ［μｍ］、前記繰り返し模様の構成単位のピッチをＰＲ［μｍ］としたとき、０．５≦ＰＲ／ＰＭＬ≦１．５の関係を満足する請求項１ないし１３のいずれかに記載の時計。
【請求項１５】
前記文字板を平面視した際に、時字が設けられていない部分の少なくとも一部に、前記マイクロレンズ層の前記マイクロレンズおよび前記装飾層の前記繰り返し模様が設けられており、時字が設けられている部分には、前記マイクロレンズ層の前記マイクロレンズおよび／または前記装飾層の前記繰り返し模様が設けられていない請求項１ないし１４のいずれかに記載の時計。
【発明の詳細な説明】
【技術分野】
【０００１】
本発明は、時計に関する。
【背景技術】
【０００２】
時計は、実用品としての機能が求められるとともに、装飾品としての装飾性（美的外観）が求められる。
従来、時計としては、高級感のある外観を得るために、一般に、金属材料で構成された文字板を備えたものが用いられてきたが、従来の時計では、表現することのできる外観の範囲が限られており、需要者のニーズに十分に対応することができなかった。
【０００３】
例えば、立体感のある外観を呈する文字板を備えた時計に対するニーズは大きく、模様等のパターンと透明塗膜とを交互に複数形成して積層化した文字板が提案されている（特許文献１参照）。
しかしながら、このような文字板では、文字板の厚み以上の立体感を表現することができず、また、厚さの制限から、文字板自体の厚さを極端に大きくすることも困難であるため、上記のようなニーズに十分に応えることができなかった。特に、腕時計のような携帯時計では、特に、時計全体としての厚みについての制約が大きく、立体感に溢れた外観の実現が極めて困難であった。
【０００４】
また、時計は、装飾品としての性格を有しているため、様々な外観を求めるユーザーのニーズは大きいものの、多数個の時計を保有することは、経済的な理由等から困難である場合も少なくなかった。
ムーブメントと指針との間に固定された文字板を取替えを可能とした時計も提案されている（例えば、特許文献２）が、当該時計では、文字板に設けられる軸孔に指針軸を挿通して、文字板をムーブメントに固定しているため、文字板を取り替える時には指針を取り外す必要があり、文字板の取替え後、再び指針を固定する必要がある。この指針の着脱作業には、特殊な工具が必要となり、また作業者の熟練度も必要となるため、大変困難な作業となる。
【先行技術文献】
【特許文献】
【０００５】
【特許文献１】特開平２−３０６１８８号公報
【特許文献２】実開平７−１４３９７号公報
【発明の概要】
【発明が解決しようとする課題】
【０００６】
本発明の目的は、立体感に溢れた外観を呈するとともに、文字板（文字板を構成する有溝部材）の取り付け作業や取り外し作業が容易に行える時計を提供することにある。
【発明の効果】
【０００７】
本発明によれば、立体感に溢れた外観を呈するとともに、文字板（文字板を構成する有溝部材）の取り付け作業や取り外し作業が容易に行える時計を提供することができる。
【課題を解決するための手段】
【０００８】
このような目的は下記の本発明により達成される。
本発明の時計は、時計ケースと、当該時計ケースの内部に収納されるムーブメントと、当該ムーブメントの指針軸に固定される指針と、前記ムーブメントおよび前記指針の間に設けられる文字板とを備え、
前記文字板は、平面視した際に複数個のマイクロレンズが規則的に配置されたマイクロレンズ層と、前記マイクロレンズ層よりもムーブメント側に設けられ、前記マイクロレンズと同種の配置で、かつ、前記マイクロレンズとはピッチが異なる繰り返し模様が設けられた装飾層とを備えるものであり、
前記装飾層および前記マイクロレンズ層のうち少なくとも一つは、前記指針軸の直径よりも大きな幅寸法の切欠溝を有する有溝部材であり、
前記指針軸は、前記切欠溝に挿通されていることを特徴とする。
これにより、立体感に溢れた外観を呈するとともに、文字板（文字板を構成する有溝部材）の取り付け作業や取り外し作業が容易に行える時計を提供することができる。
【０００９】
本発明の時計では、マイクロレンズの配置パターンが互いに異なる複数種のマイクロレンズ層、および／または、前記繰り返し模様が互いに異なる複数種の装飾層を、交換用の前記有溝部材として備えていることが好ましい。
これにより、有溝部材を交換することにより、立体感に溢れた外観を保持しつつ、異なる外観を得ることができる。
【００１０】
本発明の時計では、前記切欠溝を塞ぐ飾り板が設けられていることが好ましい。
これにより、時計の美的外観を特に優れたものとすることができる。
本発明の時計では、前記ムーブメントの上面に前記有溝部材を位置決めする有溝部材受け座が設けられ、
前記飾り板は、前記有溝部材受け座と一体形成されていることが好ましい。
これにより、時計の部品点数の減少を図れ、時計の組み立て性を特に優れたものとすることができる。
【００１１】
本発明の時計では、前記時計ケースの側面には、前記有溝部材の幅寸法以上の大きさの挿入孔が設けられ、
前記有溝部材は、前記挿入孔に挿入されて取り付けられていることが好ましい。
これにより、有溝部材の取り付け、取り外しの作業を、特に簡便に行うことができる。
本発明の時計では、前記有溝部材の端部には前記挿入孔を塞ぐ引出蓋が取り付けられ、
前記引出蓋は前記時計ケースに着脱自在に固定されていることが好ましい。
これにより、有溝部材の取り付け、取り外しの作業を、特に簡便に行うことができる。また、有溝部材が直接時計ケースに固定されていなくてもがたを防ぐことができる。
【００１２】
本発明の時計では、前記有溝部材は、前記引出蓋に着脱可能に取り付けられていることが好ましい。
これにより、例えば、有溝部材の取り替え時に、引出蓋および有溝部材の両方を交換する必要がなく、有溝部材を引出蓋から取り外して他の有溝部材に変更することができる。これにより、引出蓋ごと有溝部材を変更する場合に比べて、引出蓋をそのまま使用して有溝部材のみを変更するので、変更時にかかるコストを低減することができる。
【００１３】
本発明の時計では、前記マイクロレンズ層を平面視した際の隣接する前記マイクロレンズの中心を直線で結んだ場合に、当該直線により複数個の三角形が規則的に配置されたものとなることが好ましい。
これにより、時計の美的外観を特に優れたものとすることができる。
本発明の時計では、前記三角形は、正三角形であることが好ましい。
これにより、時計の美的外観をさらに優れたものとすることができる。
【００１４】
本発明の時計では、前記マイクロレンズ層を平面視した際の隣接する前記マイクロレンズの中心を直線で結んだ場合に、当該直線により複数個の四角形が規則的に配置されたものとなることが好ましい。
これにより、時計の美的外観を特に優れたものとすることができる。
本発明の時計では、前記四角形は、正方形であることが好ましい。
これにより、時計の美的外観をさらに優れたものとすることができる。
【００１５】
本発明の時計では、前記マイクロレンズのレンズ面から前記装飾層の表面までの距離が１００μｍ以上１０００μｍ以下であることが好ましい。
これにより、時計の外観をより立体感に溢れるものとすることができる。
本発明の時計では、前記マイクロレンズの焦点距離が１００μｍ以上１０００μｍ以下であることが好ましい。
これにより、時計の外観をより立体感に溢れるものとすることができる。
【００１６】
本発明の時計では、前記マイクロレンズのピッチをＰＭＬ［μｍ］、前記繰り返し模様の構成単位のピッチをＰＲ［μｍ］としたとき、０．５≦ＰＲ／ＰＭＬ≦１．５の関係を満足することが好ましい。
これにより、時計の外観をより立体感に溢れるものとすることができる。
【００１７】
本発明の時計では、前記文字板を平面視した際に、時字が設けられていない部分の少なくとも一部に、前記マイクロレンズ層の前記マイクロレンズおよび前記装飾層の前記繰り返し模様が設けられており、時字が設けられている部分には、前記マイクロレンズ層の前記マイクロレンズおよび／または前記装飾層の前記繰り返し模様が設けられていないことが好ましい。
これにより、時刻の視認性を特に優れたものとしつつ、時計の外観を特に優れたものとすることができ、実用品としての実用性と、装飾品としての美的外観とを、より高いレベルで両立することができる。
【図面の簡単な説明】
【００１８】
【図１】本発明の時計の第１実施形態を示す平面図である。
【図２】図１に示す時計の断面図である。
【図３】図１に示す時計の分解斜視図である。
【図４】文字板の構成の一例を示す拡大平面図である。
【図５】文字板の構成の一例を示す拡大断面図である。
【図６】文字板の構成の他の一例を示す拡大平面図である。
【図７】（Ａ）は本発明の時計の第２実施形態を示す平面図、（Ｂ）は本発明の時計の第２実施形態を示す断面図である。
【図８】（Ａ）は本発明の時計の第３実施形態を示す平面図、（Ｂ）は本発明の時計の第３実施形態を示す断面図である。
【図９】本発明の変形例を示す平面図である。
【発明を実施するための形態】
【００１９】
以下、本発明の好適な実施形態について、添付図面を参照しつつ説明する。
＜第１実施形態＞
図１は、本発明の時計の第１実施形態を示す平面図、図２は、図１に示す時計の断面図、図３は、図１に示す時計の分解斜視図、図４は、文字板の構成の一例を示す拡大平面図、図５は、文字板の構成の一例を示す拡大断面図、図６は、文字板の構成の他の一例を示す拡大平面図である。なお、各図は、理解を容易にするために、構成の一部を強調して示したものであり、実際の寸法等を正確に示したものではない。
【００２０】
図１から図３において、時計１０は、腕時計であり、時計ケース２と、時計ケース２に収納されるムーブメント６と、ムーブメント６の略中心に回転可能に設けられる指針軸７と、指針軸７に固定される指針８と、ムーブメント６と指針８との間に設けられる文字板受け座４１と、文字板受け座４１に当接して取り付けられる文字板３と、時計ケース２の裏側に固定される裏蓋９と、図示しない腕時計用のバンドとを備えている。
【００２１】
時計ケース２は、内部にムーブメント６や指針８等を収納するスペースを有している。時計ケース２の上面には透明なガラスやプラスチック等により形成された透明板１が設けられていて、時計１０の内部に収納される指針８や文字板３が視認可能となっている。本実施形態では、時計１０は略正方形に形成されているが、これに限らず、時計のデザイン等により略円形や略楕円形、または三角形や六角形などの略多角形状に形成されているものでもよい。
【００２２】
時計ケース２に収納されているムーブメント６は、内部にゼンマイや電池等の図示しない動力発生装置が収納されている。この動力発生装置で発生した動力はムーブメント６の内部に設けられる輪列等の図示しない駆動機構を駆動させ、この駆動力によってムーブメント６の略中心に設けられている指針軸７が回転する仕組みとなっている。指針軸７は、ムーブメント６の上面６１（時計ケース２の透明板１側）に対して略垂直に設けられている。この指針軸７に長針と短針からなる指針８が取り付けられている。
【００２３】
文字板受け座４１は、ムーブメント６の上面６１に固定されている。この文字板受け座４１の一端部には文字板受け座４１に対して立ち上がる立上部４５が設けられ、この立上部４５の文字板受け座４１の反対側となる端部には指針軸７の方向に伸びる飾り板４２が設けられている。これらの文字板受け座４１と立上部４５と飾り板４２とは、一体形成されていて、例えば、アルミ等の金属板をプレス成型等することによって製造されるものである。
【００２４】
この文字板受け座４１は、本実施形態では、ムーブメント６の上面６１で略正方形に形成されているが、これは時計１０の形状やムーブメント６の形状に合わせて形成したものであって、この形状に限定されるものではない。また、文字板受け座４１の大きさにおいても、本実施形態では、ムーブメント６の上面６１より若干大きく形成されていて、ムーブメント６を覆い隠しているが、これに限らず、例えば、ムーブメント６の上面６１と同等の大きさやあるいはそれより小さく形成されているものでもよい。
【００２５】
文字板受け座４１のムーブメント６への固定は、接着剤、ねじ止め、かぎ爪等による係止等、各種接着手段を用いることができる。また、文字板受け座４１の略中心点には指針軸７が貫通される軸孔４１１が設けられていて、この軸孔４１１に指針軸７を貫通させて文字板受け座４１の中心点を位置決めできるようにしている。
立上部４５は文字板受け座４１に略垂直に設けられ、この文字板受け座４１と飾り板４２とを連結している。立上部４５の高さ寸法は、文字板３の厚み寸法より大きく設定されていて、文字板３は、この高さ寸法の間で、文字板受け座４１と飾り板４２とに挟まれて配置されている。
【００２６】
文字板３は、マイクロレンズ層３１と装飾層３２とを備えており、マイクロレンズ層３１が装飾層３２よりも指針８側（透明板１側）に配置されている。特に、本実施形態では、マイクロレンズ層３１と装飾層３２とが接合されている。マイクロレンズ層３１および装飾層３２については、後に詳述する。
文字板３は略正方形に形成されていて、この文字板３の一辺の略中心から指針軸７が挿通される略中心に向かって切欠溝３３が形成されている。具体的には、例えば、文字板３の３時方向の一辺の略中心点から指針軸７の位置、つまり文字板３の略中心位置まで切欠溝３３が形成されている。ここでは、文字板３の形状は略正方形としているが、これに限られるものではなく、例えば円形、楕円形等、時計のデザインに対応して様々な形状に形成されるものである。
【００２７】
この文字板３の平面方向の大きさは時計ケース２の透明板１と同等あるいはそれ以上の大きさに設けられている。また、文字板３の透明板１側の表面には、時計の目盛りやデザイン画等が描かれている。
文字板３に形成されている切欠溝３３の幅寸法Ｌ２は、指針軸７の直径Ｌ１より大きく形成されていて、切欠溝３３に指針軸７を容易に挿通することができる。したがって、指針軸７に指針８が固定された状態においても、文字板３は、文字板受け座４１の平面方向に沿ってスライド移動することができる。
【００２８】
文字板受け座４１の飾り板４２は、立上部４５の文字板受け座４１とは反対側の端部から指針軸７までの文字板３の切欠溝３３の上面を覆っている。飾り板４２の幅寸法Ｌ３は切欠溝３３の幅寸法Ｌ２より大きく形成されている。また、この飾り板４２上に目盛りが形成されていて、文字板３に形成される目盛りと共に時計１０の目盛りを形成している。また、飾り板４２には軸孔４２１が設けられていて、指針軸７が貫通されている。
【００２９】
また、文字板受け座４１は、文字板３の位置決めとしても機能している。文字板受け座４１の立上部４５の幅寸法は文字板３の切欠溝３３の幅寸法より大きく形成されているため、文字板３は立上部４５に当接することで９時−３時方向への位置決めをすることができる。また、図１に示すように３時−９時方向に沿う文字板受け座４１の２辺には誘導片４３が設けられていて、文字板３はこの誘導片４３に沿って文字板受け座４１に対してスライド移動する。したがって、時計の１２時−６時方向においても文字板３の位置決めができ、文字板３が時計ケース２に対して回転することを防止している。また、この文字板３をムーブメント６に位置決めする構造としてはこれに限定されず、例えば、文字板３に切欠きまたは凹部を形成し、文字板受け座４１にこの切欠きまたは凹部に係合する係合部を形成し、係合部を切欠きまたは凹部に係合させることで文字板３と文字板受け座４１を位置決めしているものであってもよい。
【００３０】
裏蓋９は時計ケース２の透明板１とは反対側から固定される部材である。裏蓋９の時計ケース２への固定には、例えば、裏蓋９の周縁部に雄ねじ部を形成し、時計ケース２内周縁に雌ねじ部を設けて、裏蓋９を時計ケース２に螺接してもよく、また、裏蓋９の外周縁にかぎ爪を設け、これを時計ケース２の内周縁に設けた凹部に引っ掛けて固定するものであってもよい。この場合、裏蓋９が時計ケース２に着脱可能に固定されているので、後にムーブメント６のメンテナンス等を容易に行うことができる。
【００３１】
このような時計１０の組み立てには図３に示すように、文字板受け座４１の軸孔４１１及び飾り板４２の軸孔４２１に指針軸７を貫通させ、ムーブメント６に文字板受け座４１を固定し、指針軸７に指針８を固定する。そして文字板３を側面からスライド移動させて、切欠溝３３に指針軸７が挿通されるように装着する。この際、文字板３が文字板受け座４１と飾り板４２との間に挟まれて配置され、また、切欠溝３３が飾り板４２に覆われて隠れるように装着する。このように文字板３を配置したムーブメント６を時計ケース２に収納して時計ケース２に対して固定し、時計ケース２の裏側より裏蓋９を固定する。
【００３２】
また、時計１０の文字板３の取り外し、再取り付けは、以下のように行うことができる。すなわち、文字板３の取り外しをするには、まず裏蓋９を取り外して、ムーブメント６を取り出し、その後、文字板３を側面にスライド移動させてムーブメント６から取り外すことができる。また、文字板３の再取り付けは、まず、文字板３を側面からスライド移動させて文字板受け座４１の上面に取り付け、その後、ムーブメント６を時計ケース２に収納して固定し、最後に裏蓋９を時計ケース２に取り付けることにより行うことができる。
【００３３】
上述したような構成であることにより、以下のような効果が得られる。
すなわち、文字板３の一端部から指針軸７が挿通される位置までに切欠溝３３を設け、この切欠溝３３の幅寸法Ｌ２は指針軸７の直径Ｌ１よりも大きく形成されているので、指針軸７を切欠溝３３内に配置した状態で文字板３を指針軸７の直交方向にスライド移動させることができる。これにより、文字板３をムーブメント６に取り付ける作業では、指針軸７に指針８を固定した状態で文字板３をスライド移動させてムーブメント６と指針８との間の文字板受け座４１に容易に装着することができる。また、文字板３の取り外し作業では、指針軸７に取り付けられた指針８を取り外すことなしに文字板３のみをスライド移動させて取り外すことができる。このように、指針８の取り外しを行わなくても文字板３の取り外し、取り付けを容易に行うことができるため、文字板３の交換や、清掃・修理等を容易に行うことができる。
【００３４】
また、切欠溝３３の指針８側に飾り板４２が設けられて切欠溝３３を覆っているので、切欠溝３３は飾り板４２に隠されて外部に露出されることがなく、目立たなくなるので、時計１０の美的外観を特に優れたものとすることができる。
また、飾り板４２と文字板受け座４１と立上部４５とが一体形成されているので、この一部材で、文字板３を位置決めするとともに切欠溝３３を覆い隠すことができる。これにより、部品点数の減少を図れ、さらに組み立て性も向上する。
【００３５】
次に、文字板３、特に、文字板３を構成するマイクロレンズ層３１および装飾層３２について、詳細に説明する。
マイクロレンズ層３１は、複数個のマイクロレンズ３１１を備えるものであり、当該マイクロレンズ３１１は、マイクロレンズ層３１を平面視した際に規則的に配置されたものである。装飾層３２は、平面視した際に規則的に配置された繰り返し模様３２１を有するものである。繰り返し模様３２１は、マイクロレンズ３１１と同種の配置で、かつ、マイクロレンズ３１１とは異なるピッチで設けられたものである。
【００３６】
このように、マイクロレンズ層および装飾層とを有することにより、光の干渉（モアレ）を視覚的に使用し、立体感に溢れる外観を呈する時計を提供することができること、特に、観察者の錯覚を利用するにより、文字板の厚みを、現実の厚み以上のものとして、観察者に認識させることができる文字板を備えた時計を提供することができることを、本発明者は鋭意研究の結果見出した。
【００３７】
そこで、本発明に係る時計においては、平面視した際に複数個のマイクロレンズが規則的に配置されたマイクロレンズ層と、前記マイクロレンズと同種の配置で、かつ、前記マイクロレンズとはピッチが異なる繰り返し模様が設けられた装飾層とを備え、前記マイクロレンズ層または前記装飾層を平面視した際に、前記マイクロレンズ層と前記装飾層とが重なり合うものとした。
上記のように、マイクロレンズ層３１は、複数個のマイクロレンズ３１１が規則的に配置されたものである。
【００３８】
図４に示す構成では、マイクロレンズ層３１を平面視した際の隣接するマイクロレンズ３１１の中心を直線で結んだ場合に、当該直線により複数個の三角形が規則的に配置されたものとなるように、複数個のマイクロレンズ３１１が配置されている。これにより、時計１０の美的外観を特に優れたものとすることができる。
特に、図４に示す構成では、前記三角形が正三角形である。これにより、時計１０の美的外観をさらに優れたものとすることができる。
【００３９】
マイクロレンズ３１１の焦点距離は、１００μｍ以上１０００μｍ以下であるのが好ましく、１５０μｍ以上５００μｍ以下であるのがより好ましい。これにより、時計１０の外観をより立体感に溢れるものとすることができる。
マイクロレンズ３１１のピッチ（マイクロレンズ層３１を平面視した際のピッチ）ＰＭＬは、５０μｍ以上５００μｍ以下であるのが好ましく、６０μｍ以上３００μｍ以下であるのがより好ましい。これにより、時計１０の美的外観を特に優れたものとすることができる。
【００４０】
マイクロレンズ層３１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、光源として、白色蛍光灯（東芝社製、検査用蛍光灯  ＦＬ２０Ｓ−Ｄ６５）を用い、１０００ルクス下で、測定対象の部材と同一形状のソーラーセル（太陽電池）のみで発電した際の電流値（Ｘ）に対する、当該ソーラーセルの光源側の面に測定対象である部材を載せた以外は、前記と同一の状態で発電した際の電流値（Ｙ）の比率（（Ｙ／Ｘ）×１００［％］）を、採用することができる。以下、本明細書中において、特に断りのない限り、「光の透過率」とは、このような条件で求められる値のことを指す。
【００４１】
マイクロレンズ層３１を構成する材料としては、例えば、各種プラスチック材料、各種ガラス材料等が挙げられるが、マイクロレンズ層３１は、主としてプラスチック材料で構成されたものであるのが好ましい。プラスチック材料は、一般に、成形性（成形の自由度）に優れており、種々の形状の文字板３の製造に好適に適用することができる。また、マイクロレンズ層３１がプラスチック材料で構成されたものであると、時計１０の製造コスト低減に有利である。以下の説明では、マイクロレンズ層３１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００４２】
マイクロレンズ層３１を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂、エポキシ系樹脂、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、マイクロレンズ層３１は、主として、ポリカーボネートで構成されたものであるのが好ましい。これにより、マイクロレンズ３１１をより透明性の高いものとすることができるとともに、マイクロレンズ３１１の屈折率を最適なものとすることができるため、時計１０全体としての美的外観を特に優れたものとすることができる。また、文字板３全体としての強度を特に優れたものとすることができるとともに、マイクロレンズ３１１の寸法精度をより高いものとすることができ、また、マイクロレンズ３１１の不本意な変形等をより確実に防止することができるため、文字板３の信頼性を特に優れたものとすることができる。また、マイクロレンズ層３１が、アクリル系樹脂、ポリエステル系樹脂、エポキシ系樹脂、ウレタン系樹脂で構成されたものである場合、印刷法（特に、インクジェット法のような液滴吐出法）によるマイクロレンズ３１１の形成をより好適に行うことができる。
【００４３】
なお、マイクロレンズ層３１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、マイクロレンズ層３１が着色剤を含む材料で構成されたものであると、文字板３の色のバリエーションを広げることができる。
【００４４】
マイクロレンズ層３１は、各部位でその組成が実質的に均一な組成を有するものであってもよいし、部位によって組成の異なるものであってもよい。
マイクロレンズ層３１の屈折率（絶対屈折率）は、１．５００以上１．６５０以下であるのが好ましく、１．５５０以上１．６００以下であるのがより好ましい。これにより、時計１０（文字板３）の美的外観を特に優れたものとすることができる。
【００４５】
なお、図示の構成では、マイクロレンズ３１１は、略半球状をなすものであり、平面視した際の形状が円形をなす球面レンズであるが、マイクロレンズ３１１の形状は、特に限定されるものでなく、例えば、平面視した際の形状が俵型形状（略楕円形状、長円形状）をなすものであってもよい。
また、マイクロレンズ層（マイクロレンズ基板）３１は、いかなる方法で成形されたものであってもよいが、マイクロレンズ基板３１の製造方法としては、例えば、圧縮成形、押出成形、射出成形、光造形、２Ｐ法等が挙げられる。また、マイクロレンズ基板３１は、例えば、マイクロレンズ３１１を有していない板状部材に、インクジェット法等の液滴吐出法により、マイクロレンズ３１１の構成材料を含む液状材料を吐出することにより、マイクロレンズ３１１を形成して得られたものであってもよい。また、マイクロレンズ３１１は、オフセット印刷、グラビア印刷等の各種印刷法を用いて形成されたものであってもよい。
【００４６】
文字板３は、文字板３（マイクロレンズ層３１、装飾層３２）を平面視した際に、時字が設けられていない部分の少なくとも一部に、装飾層３２の繰り返し模様３２１およびマイクロレンズ層３１のマイクロレンズ３１１が設けられており、時字が設けられている部分には、装飾層３２の繰り返し模様３２１および／またはマイクロレンズ層３１のマイクロレンズ３１１が設けられていないものであるのが好ましい。これにより、時刻の視認性を特に優れたものとしつつ、時計１０（文字板３）の外観を特に優れたものとすることができ、実用品としての実用性と、装飾品としての美的外観とを、より高いレベルで両立することができる。
【００４７】
上記のように、装飾層３２は、平面視した際に規則的に配置された繰り返し模様３２１を有するものである。特に、本実施形態の文字板３では、装飾層（装飾板）３２は、基板３２２上に繰り返し模様３２１が設けられた構成を有している。これにより、繰り返し模様３２１を確実に固定することができ、その結果、文字板３は、長期間にわたって確実に優れた美的外観を発揮することができる。すなわち、文字板３の信頼性を特に優れたものとすることができる。
【００４８】
繰り返し模様３２１は、マイクロレンズ３１１と同種の配置で、かつ、マイクロレンズ３１１とは異なるピッチで設けられたものである。
繰り返し模様３２１の構成単位のピッチ（装飾層３２を平面視した際のピッチ）ＰＲは、４０μｍ以上５５０μｍ以下であるのが好ましく、５０μｍ以上３５０μｍ以下であるのがより好ましい。これにより、時計１０の美的外観を特に優れたものとすることができる。
【００４９】
マイクロレンズ３１１のピッチをＰＭＬ［μｍ］、繰り返し模様３２１の構成単位のピッチをＰＲ［μｍ］としたとき、０．５≦ＰＲ／ＰＭＬ≦１．５の関係を満足するのが好ましく、０．７≦ＰＲ／ＰＭＬ≦１．３の関係を満足するのがより好ましい。これにより、時計１０（文字板３）の外観をより立体感に溢れるものとすることができる。
なお、繰り返し模様３２１のピッチの方がマイクロレンズ３１１のピッチよりも小さい場合には模様が沈んで見え、一方、繰り返し模様３２１のピッチの方がマイクロレンズ３１１のピッチよりも大きい場合には模様が浮かんで見える。
【００５０】
繰り返し模様３２１の構成単位は、図示の構成では円形状をなすものであるが、いかなる形状のものであってもよく、例えば、多角形状、楕円形状、星型形状、アルファベット等の文字のほか、漫画のキャラクター等のより複雑な形状をなすものであってもよい。
繰り返し模様３２１は、いかなる材料で構成されたものであってもよく、例えば、各種顔料、各種染料等の着色剤や、金属材料を含む材料で構成されたものであってもよい。また、繰り返し模様３２１は、樹脂材料を含む材料で構成されたものであってもよい。これにより、繰り返し模様３２１の基板３２２に対する密着性を特に優れたものとすることができる。
【００５１】
繰り返し模様３２１は、いかなる方法で形成されたものであってもよく、例えば、スクリーン印刷法、グラビア印刷法、タコ印刷法、インクジェット法等の各種印刷法を用いて形成されたものであってもよい。また、基板３２２上に形成された膜に対してエッチング処理を施し、残存した部分を、繰り返し模様３２１としてもよい。
基板３２２は、繰り返し模様３２１を保持する機能を有するものであればよく、いかなる材料で構成されたものであってもよいが、文字板３の耐久性、取扱いの容易性等から、プラスチック材料で構成されたものであるのが好ましい。
【００５２】
基板３２２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板３２２は、主として、ポリカーボネートで構成されたものであるのが好ましい。これにより、文字板３全体としての強度を特に優れたものとすることができるとともに、繰り返し模様３２１の不本意な変形等をより確実に防止することができるため、文字板３の信頼性、時計１０全体としての信頼性を特に優れたものとすることができる。
【００５３】
なお、基板３２２は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、基板３２２が着色剤を含む材料で構成されたものであると、文字板３の色のバリエーションを広げることができる。
【００５４】
基板３２２は、各部位でその組成が実質的に均一な組成を有するものであってもよいし、部位によって組成の異なるものであってもよい。
マイクロレンズ３１１のレンズ面（図５中の上側の面）から後述する装飾層３２の表面（図５中の上側の面）までの距離は、１００μｍ以上１０００μｍ以下であるのが好ましく、１５０μｍ以上５００μｍ以下であるのがより好ましい。これにより、時計１０（文字板３）の外観をより立体感に溢れるものとすることができる。
【００５５】
特に、図４に示すように、文字板３を平面視した際の隣接するマイクロレンズ３１１の中心を直線で結んだ場合に、当該直線により複数個の三角形が規則的に配置されたものとなるように、複数個のマイクロレンズ３１１が配置されている場合、マイクロレンズ３１１のレンズ面（図５中の上側の面）から装飾層３２の表面（図１中の上側の面）までの距離は、１５０μｍ以上５００μｍ以下であるのが好ましく、１５０μｍ以上３００μｍ以下であるのがより好ましい。これにより、時計１０（文字板３）の外観をより立体感に溢れるものとすることができ、時計１０（文字板３）の美的外観を特に優れたものとすることができる。
【００５６】
マイクロレンズ３１１の焦点距離をＬ０［μｍ］、マイクロレンズ３１１のレンズ面から装飾層３２の表面までの距離をＬ１［μｍ］としたとき、０．５≦Ｌ１／Ｌ０≦１．５の関係を満足するのが好ましく、０．６≦Ｌ１／Ｌ０≦１．４の関係を満足するのがより好ましい。これにより、時計１０（文字板３）の外観をより立体感に溢れるものとすることができる。
【００５７】
また、マイクロレンズ層３１のマイクロレンズ３１１の配置パターン、装飾層３２の繰り返し模様３２１の配置パターンは、図４に示すようなものに限定されず、いかなるものであってもよい。例えば、図６に示すような配置パターンであってもよい。
図６に示す構成では、文字板３を平面視した際の隣接するマイクロレンズ３１１の中心を直線で結んだ場合に、当該直線により複数個の四角形が規則的に配置されたものとなっている。そして、これに対応するように、繰り返し模様３２１の配置パターンも、文字板３を平面視した際の隣接する繰り返し模様３２１の中心を直線で結んだ場合に、当該直線により複数個の四角形が規則的に配置されたものとなっている。これにより、時計１０（文字板３）の美的外観を特に優れたものとすることができる。
【００５８】
特に、図６に示す構成では、前記四角形が正方形である。これにより、時計１０（文字板３）の美的外観をさらに優れたものとすることができる。
図６に示すように、文字板３を平面視した際の隣接するマイクロレンズ３１１の中心を直線で結んだ場合に、当該直線により複数個の四角形が規則的に配置されたものとなるように、複数個のマイクロレンズ３１１が配置されている場合、マイクロレンズ３１１のレンズ面（図１中の上側の面）から装飾層３２の表面（図１中の上側の面）までの距離は、１００μｍ以上１０００μｍ以下であるのが好ましく、２５０μｍ以上６００μｍ以下であるのがより好ましい。これにより、時計１０（文字板３）の外観をより立体感に溢れるものとすることができ、時計１０（文字板３）の美的外観を特に優れたものとすることができる。
【００５９】
また、時計１０は、１種類の文字板３を備えるものであってもよいが、マイクロレンズ３１１の配置パターンが互いに異なる複数種のマイクロレンズ層３１、および／または、繰り返し模様３２１が互いに異なる複数種の装飾層３２を、交換用の文字板（有溝部材）３として備えているのが好ましい。これにより、文字板３を交換することにより、立体感に溢れた外観を保持しつつ、異なる外観を得ることができる。
【００６０】
＜第２実施形態＞
次に、図７に基づいて本発明の第２実施形態について説明する。
図７（Ａ）は本発明の時計の第２実施形態を示す平面図、図７（Ｂ）は本発明の時計の第２実施形態を示す断面図である。
以下、この図を参照して本発明の時計の第２実施形態について説明するが、前述した実施形態との相違点を中心に説明し、同様の事項はその説明を省略する（第３実施形態についても同様）。
【００６１】
第１実施形態では、文字板３をムーブメント６に取り付けてこのムーブメント６を時計ケース２に収納することで文字板３を設置していたが、本実施形態では、ムーブメント６を時計ケース２に収納した後に文字板３を取り付けることができる。
図７において、時計ケース２には、一側面に挿入孔２１が設けられている。挿入孔２１は、時計１０の断面方向（時計１０の指針軸７の軸方向）において、下端面の高さが文字板受け座４１の上面の高さと略同一となるように設けられていて、かつ、挿入孔２１の幅寸法は文字板３の幅寸法Ｌ４よりも大きく形成されている。したがって、文字板３は、挿入孔２１から挿入し、文字板受け座４１の上面にスライド移動させて装着することができるため、文字板３の取り付け、取り外しの作業を、特に簡便に行うことができる。
【００６２】
文字板３の切欠溝３３が設けられていない側の端部には引出蓋３４が取り付けられている。引出蓋３４は長手方向を有する断面略矩形状部材である。引出蓋３４の長手方向に沿う一側面に、長手方向に沿って嵌合溝３６が設けられていて、文字板３の切欠溝３３とは反対側の端部がこの嵌合溝３６に嵌合し固定されている。この固定は、接着剤等による接着手段を用いてさらに強固に固定しているものであってもよい。
【００６３】
このような文字板３の時計１０への取り付けは、引出蓋３４を取手として機能するため、文字板３の取り付けが非常に容易に行える。また文字板３を取り外し作業においても、引出蓋３４を取手として、手で持って引き出すことができるため、容易に文字板３を引き出すことができる。引出蓋３４は、引出蓋３４に設けられたねじ孔３０と、時計ケース２に設けられたねじ孔２２とに、ねじ３８を螺合させることで時計ケース２に着脱自在に固定されている。したがって、ねじ３８を取り外して文字板３を容易に交換することができる。また、引出蓋３４を時計ケース２の間には防水手段としてのパッキン部材３５が設けられていて、水滴等の浸入を防ぐことができる。
【００６４】
また、時計１０の文字板３を交換するには、ねじ３８を取り外し、引出蓋３４を取手として文字板３をスライド移動させて引き抜く。次に、この引き出した文字板３を新しい文字板３に交換する。このとき、引出蓋３４は文字板３の端部に固定されているので、文字板３と引出蓋３４との両方を交換することになる。そして、この新しい文字板３を引出蓋３４を取手にして挿入孔２１よりスライド移動させて文字板受け座４１の上面に装着する。その後、ねじ３８によって引出蓋３４を時計ケース２に固定する。
【００６５】
本実施形態によれば、前述した実施形態で述べた効果に加えて、以下のような効果が得られる。
すなわち、文字板３は時計ケース２の一側面に設けられる挿入孔２１から挿入されるので、時計ケース２にムーブメント６を収納した状態でも文字板３を挿入孔２１から装着可能である。したがって、文字板３の取り付け作業や取り外し作業がより容易に行うことができる。
【００６６】
また、文字板３の切欠溝３３と反対側の端部に引出蓋３４が設けられ、文字板３を挿入孔２１に挿入して装着した後、引出蓋３４を時計ケース２に固定するので、引出蓋３４によって挿入孔２１が塞がれ、さらに、文字板３のがたを防ぐことができる。また、引出蓋３４は文字板３の取り付けや取り外しの作業時には、文字板３の取手として機能し、引出蓋３４を持って文字板３をスライド移動させることで、文字板３を容易に出し入れすることができるので、文字板３の取り付けや取り外しの作業がより容易に行える。
【００６７】
また、引出蓋３４は時計ケース２にねじ３８によって着脱自在に固定されているため、容易にねじ３８を取り外して引出蓋３４と文字板３を取り外すことができる。これにより、文字板３をより容易に変更することができる。
また、引出蓋３４と時計ケース２との間にパッキン部材３５が設けられているので、水滴の浸入を防ぐことができる。これにより、一般的な日常生活で遭遇する水を防ぐレベルである日常生活防水（例えば２気圧から１０気圧など）としての防水性を実現でき、このような防水性を通常必要とする腕時計等に本発明を好適に適用することができる。
【００６８】
＜第３実施形態＞
次に、図８に基づいて本発明の第３実施形態について説明する。
図８（Ａ）は本発明の時計の第３実施形態を示す平面図、図８（Ｂ）は本発明の時計の第３実施形態を示す断面図である。
第２実施形態の時計１０では文字板３と引出蓋３４が固定されているものであったのに対し、本実施形態では文字板３と引出蓋３４とを容易に分離できる。
【００６９】
図８において、引出蓋３４の文字板３が取り付けられる一側面には、長手方向に沿って取り付け片３９が設けられていて、取り付け片３９の両端部の上面に係合ピン３７が設けられている。文字板３には、引出蓋３４側の両端部には図示しない孔部が設けられている。そして、係合ピン３７を文字板３の孔部に係合させることで、文字板３は引出蓋３４に着脱可能に取り付けられている。ここで、文字板３と引出蓋３４の取り付け手段はこれに限定されず、例えば、取り付け片３９にかぎ爪等を設けて文字板３に予め設けられる凹部に係合させる構造であってもよい。
このような時計１０の文字板３を交換するには、ねじ３８を取り外して、引出蓋３４を取手として文字板３を時計ケース２から引き抜く。
【００７０】
そして、引出蓋３４の係合ピン３７を文字板３から外して文字板３を引出蓋３４から取り外し、別の文字板３を引出蓋３４の係合ピン３７に係合させて取り付ける。その後、再び引出蓋３４を取手にして挿入孔２１から文字板３をスライド移動させて文字板受け座４１の上面に装着し、ねじ３８によって引出蓋３４を時計ケース２に固定する。
本実施形態によれば、前述した各実施形態で述べた効果に加えて、以下のような効果が得られる。
【００７１】
すなわち、文字板３が引出蓋３４に着脱可能に設けられているので、文字板３を変更する際に、引出蓋３４ごと文字板３を変更する必要がある第２実施形態に比べて、文字板３だけを取り外して変更することができ、引出蓋３４は変更する必要がない。これにより、文字板３の変更にかかるコストを低減することができる。
上記のような携帯時計（腕時計）は、各種時計の中でも特に、薄型化が求められるものであるとともに、構成部品が微小であるため従来では文字板の交換等が困難なものであったため、時計（文字板）の薄型化と優れた美的外観との両立を図ることができ、さらには、文字板の交換を容易に行うことができる本発明をより好適に適用することができる。
【００７２】
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。例えば、マイクロレンズ層および／または装飾層の表面には、少なくとも１つの層が設けられていてもよい。
また、前述した実施形態においては、文字板３の切欠溝３３は略正方形の一辺の略中心点から指針軸７に向かって直線状に設けられているが、これに限らない。例えば、図９に示す変形例のように、文字板３が時計ケース２の挿入孔２１の端部の固定点２３に回動自在に取り付けられている場合、切欠溝３３はこの固定点２３を中心とした円弧状に文字板３の一端部から指針軸７まで形成されていてもよい。この場合、切欠溝３３の位置に対応して飾り板４２も円弧状に設ければよい。このように、切欠溝は、時計の指針を指針軸に固定した状態で、文字板を取り付けたりまたは取り外したりすることが可能となるように形成されていればよい。
【００７３】
また、前述した第２、第３実施形態では、引出蓋を取り付けて文字板の出し入れを容易に行うようにしているが、引出蓋を設けない構造であってもよい。ただし、この場合、文字板の厚み寸法及び幅寸法が、挿入孔の厚み寸法及び幅寸法と略同一に形成されていて、文字板が挿入孔に嵌合して挿入孔を塞ぎ、かつ、文字板が時計ケースに対してがたつかないように固定されている必要がある。
【００７４】
また、前述した第２、第３実施形態では、時計ケースと引出蓋との間にパッキン部材を取り付けて防水処理を行っているが、水滴等の浸入がない室内の置時計や掛時計として用いる場合等は防水処理を施す必要はない。
また、前述した第２、第３実施形態において、挿入孔２１は図７、図８において時計の正面方向からみて左側（９時方向）に設けられているが、この位置は限定されず、例えば、右側（３時方向）や上側（１２時方向）、下側（６時方向）に設けられているものであってもよい。ただし、腕時計のようにりゅうず等が時計外部に突出している時計においては、挿入孔２１をりゅうずと同位置に形成すると厚み寸法が大きくなってしまう可能性があるため、りゅうずが設けられる位置とは反対側に挿入孔２１を設ける等、りゅうずと挿入孔２１との位置を別にすることが好ましい。
【００７５】
また、前述した第２、第３実施形態において、引出蓋３４は時計ケース２に対して着脱可能に固定されているが、これに対して、引出蓋が時計ケースに完全に固定された構造としても構わない。例えば、店舗や遊園地等の販売店等において、文字板が装着されていない状態の時計と文字板とを別々に準備しておき、店舗側若しくは購入者側の希望に合わせた文字板を選択して時計に装着して販売する場合のように、購入後に文字板を交換する必要がない場合には、引出蓋を時計ケースに完全に固定してもよい。
【００７６】
また、前述した実施形態では、飾り板４２は、文字板３の切欠溝３３の上部を覆うように設けられているが、これに限らない。例えば、文字板受け座４１の切欠溝３３に対応する位置が隆起していて、切欠溝３３がこの隆起に嵌って装着されるものでもよく、この場合、文字板３の位置決めを同時に行えるので別途位置決め手段を備える必要がない。また、飾り板４２の一部に孔が設けられ、ムーブメント６のこの孔に対応する箇所に日付表示装置等を設ける構造にしてもよく、このような時計では、飾り板４２の孔からムーブメント６の日付表示装置を視認できる。また、飾り板４２の幅寸法は切欠溝３３の幅寸法より同じ寸法以上としているが、これは切欠溝３３を隠してムーブメント６が視認できないようにすることで、時計のデザイン性を高めるものであり、例えば、デザインによっては飾り板４２の寸法が切欠溝の幅寸法より小さく設定されているものであってもよい。
【００７７】
また、前述した実施形態では、ムーブメント６の上面に文字板受け座４１が取り付けられているが、文字板受け座４１が取り付けられていないものであってもよい。この場合、第２、第３実施形態では、文字板は引出蓋に固定されているため、引出蓋を時計ケースに固定することで文字板を固定することができる。一方、第１実施形態では、例えば、文字板の回転を規制するような形状に文字板を形成する等、文字板を時計ケースに対して位置決めする工夫をすればよい。
【００７８】
また、前述した実施形態では、飾り板４２が切欠溝３３を覆うように形成されていたが、例えば、飾り板が切欠溝のムーブメント側にあるものであってもよく、この場合、切欠溝は外部から視認できるが、ムーブメントは外部から視認できないように隠すことができる。また、飾り板が設けられていないものであってもよい。
また、前述した実施形態では、文字板がマイクロレンズ層と装飾層とが接合されたものであり、文字板全体が、指針軸の直径よりも大きな幅寸法の切欠溝を有する有溝部材であり、交換可能（着脱可能）である構成について代表的に説明したが、文字板は、マイクロレンズ層と装飾層とが接合されていない構成を有するもので、マイクロレンズ層または装飾層のうち一方のみが交換可能（着脱可能）であるものであってもよいし、マイクロレンズ層および装飾層が独立して交換可能（着脱可能）なものであってもよい。これにより、例えば、より少ない部材であっても、マイクロレンズ層と装飾層との組み合わせによる時計のデザインのバリエーションを広げることができる。マイクロレンズ層および装飾層のうち一方のみが破損した場合等に、一方のみを交換すれば済むこととなる。
【００７９】
また、前述した実施形態では、マイクロレンズ層には、同一のパターンでマイクロレンズが設けられている場合について代表的に説明したが、マイクロレンズ層は、マイクロレンズの配置パターンの異なる複数の領域を有するものであってもよい。同様に、装飾層には、同一のパターンで繰り返し模様が設けられている場合について代表的に説明したが、装飾層は、繰り返し模様の配置パターンの異なる複数の領域を有するものであってもよい。また、装飾層は、繰り返し模様の構成単位の形状が異なる複数の領域を有するものであってもよい。
【００８０】
また、前述した実施形態では、文字板を平面視した際に、時字が設けられている部分には、繰り返し模様および／またはマイクロレンズが設けられていない場合について中心的に説明したが、文字板を平面視した際に、時字が設けられている部分に、繰り返し模様およびマイクロレンズが設けられていてもよい。
また、前述した実施形態では、マイクロレンズ層が、マイクロレンズとして凸レンズを備えるものである場合について代表的に説明したが、マイクロレンズは、装飾層の設けられた面側で焦点を結ぶものであればよく、凹レンズであってもよい。
【００８１】
また、前述した実施形態では、繰り返し模様は、基板の表面に設けられたものとして説明したが、繰り返し模様は、マイクロレンズ層のマイクロレンズが配置された表面とは反対側の面に直接設けられたものであってもよい。
また、図７、図８に示す構成では、引出蓋を時計ケースに固定するためにねじを使用しているが、このようなねじを使用しなくてもよい。例えば、引出蓋と時計ケースのはめあいを締め代にしたり、フック（爪）を設けることなどにより、引出蓋を時計ケースに固定することができる。
【符号の説明】
【００８２】
１０…時計  １…透明板  ２…時計ケース  ２１…挿入孔  ２２…ねじ孔  ２３…固定
点  ３…文字板  ３１…マイクロレンズ層（マイクロレンズ基板）  ３１１…マイクロレンズ  ３２…装飾層（装飾板）  ３２１…繰り返し模様  ３２２…基板  ３３…切欠溝  ３４…引出蓋  ３５…パッキン部材（防水手段）  ３６…嵌合溝  ３７…係合ピン
３８…ねじ  ３９…取り付け片  ３０…ねじ孔  ４１…文字板受け座  ４１１…軸孔
４２…飾り板  ４２１…軸孔  ４３…誘導片  ４５…立上部  ６…ムーブメント  ６１…上面  ７…指針軸  ８…指針  ９…裏蓋  Ｌ１…直径  Ｌ２…幅寸法  Ｌ３…幅寸法  Ｌ４…幅寸法  ＰＭＬ…ピッチ  ＰＲ…ピッチ
【図１】
2012159293.tif 000003
【図２】
2012159293.tif 000004
【図３】
2012159293.tif 000005
【図４】
2012159293.tif 000006
【図５】
2012159293.tif 000007
【図６】
2012159293.tif 000008
【図７】
2012159293.tif 000009
【図８】
2012159293.tif 000010
【図９】
2012159293.tif 000011